(57)【要約】【課題】スラッジブランケットの凝集状態によらず、処理水の水質を安定させることができる凝集沈殿処理装置が提供される。【解決手段】凝集調整剤供給部１２０は、スラッジブランケットの凝集状態に基づいて、供給ラインＬ５０に凝集調整剤を供給する。供給ラインＬ５０はスラッジブランケット部１２に原水を供給するラインであるため、凝集調整剤供給部１２０は、供給ラインＬ５０に凝集調整剤を供給することで、スラッジブランケットに直接的に凝集調整剤を供給することができる。従って、スラッジブランケットの凝集状態が悪化している場合であっても、スラッジブランケットのフロックが凝集調整剤により速やかに再凝集する。これによって、スラッジブランケットの凝集状態が回復し、処理水を良好な水質に維持できる。以上により、スラッジブランケットの凝集状態によらず、処理水の水質を安定させることができる。【選択図】図１
2018161637.tif 000002
【特許請求の範囲】
【請求項１】
原水が流入し、前記原水に含まれる固形物を捕捉して処理水を生成するスラッジブランケットを有するスラッジブランケット部を備える凝集沈殿槽と、
前記凝集沈殿槽の前記スラッジブランケット部に前記原水を供給する供給ラインと、
前記スラッジブランケットの凝集性を向上させる凝集調整剤を供給可能な凝集調整剤供給部と、を備え、
前記凝集調整剤供給部は、前記スラッジブランケットの凝集状態に基づいて、前記供給ライン及び前記スラッジブランケット部の少なくとも一方に前記凝集調整剤を供給する、凝集沈殿処理装置。
【請求項２】
前記原水と前記凝集調整剤とを反応させる反応槽と、
前記凝集調整剤供給部による前記凝集調整剤の供給先を切り替える切替部と、を備え、
前記切替部は、前記スラッジブランケットの凝集状態に基づいて、前記凝集調整剤の供給先を前記反応槽から、前記供給ライン及び前記スラッジブランケット部の少なくとも一方に切り替える、請求項１に記載の凝集沈殿処理装置。
【請求項３】
前記凝集調整剤供給部は、前記凝集調整剤を前記供給ラインへ供給する、請求項１又は２に記載の凝集沈殿処理装置。
【請求項４】
前記凝集調整剤供給部は、前記凝集調整剤を前記スラッジブランケット部へ供給する、請求項１又は２に記載の凝集沈殿処理装置。
【請求項５】
前記凝集調整剤供給部は、前記凝集調整剤を前記スラッジブランケット部の上層部へ供給する、請求項４に記載の凝集沈殿処理装置。
【発明の詳細な説明】
【技術分野】
【０００１】
本発明は、凝集沈殿処理装置に関する。
【背景技術】
【０００２】
原水に対して凝集剤を添加することで有機物等を凝集沈殿させて分離する凝集沈殿処理装置として、例えば、特許文献１のようなスラッジブランケットを有する凝集沈殿処理装置が知られている。この凝集沈殿処理装置では、凝集剤が添加された原水に含まれる凝集フロックが、スラッジブランケット部に形成されたスラッジブランケットにて捕捉される。これにより、凝集フロックと処理水とが分離される。
【先行技術文献】
【特許文献】
【０００３】
【特許文献１】特開平１１−４７７５７号公報
【発明の概要】
【発明が解決しようとする課題】
【０００４】
しかしながら、凝集沈殿処理装置においては、例えば装置の停止後の立ち上げ時等にスラッジブランケットの凝集状態が悪化する場合がある。このような状態で水処理を行った場合、フロックが微細化してスラッジブランケットで捕捉されること無く処理水と共に流出する。従って、処理水の水質が低下するという問題がある。
【０００５】
本発明は上記を鑑みてなされたものであり、スラッジブランケットの凝集状態によらず、処理水の水質を安定させることができる凝集沈殿処理装置を提供することを目的とする。
【課題を解決するための手段】
【０００６】
本発明の一形態に係る凝集沈殿処理装置は、原水が流入し、原水に含まれる固形物を捕捉して処理水を生成するスラッジブランケットを有するスラッジブランケット部を備える凝集沈殿槽と、凝集沈殿槽のスラッジブランケット部に原水を供給する供給ラインと、スラッジブランケットの凝集性を向上させる凝集調整剤を供給可能な凝集調整剤供給部と、を備え、凝集調整剤供給部は、スラッジブランケットの凝集状態に基づいて、供給ライン及びスラッジブランケット部の少なくとも一方に凝集調整剤を供給する。
【０００７】
この凝集沈殿処理装置において、凝集調整剤供給部は、スラッジブランケットの凝集状態に基づいて、供給ライン及びスラッジブランケット部の少なくとも一方に凝集調整剤を供給する。凝集調整剤供給部は、スラッジブランケット部に凝集調整剤を供給することによって、スラッジブランケットに直接的に凝集調整剤を供給することができる。また、供給ラインはスラッジブランケット部に原水を供給するラインであるため、凝集調整剤供給部は、供給ラインに凝集調整剤を供給することで、スラッジブランケットに直接的に凝集調整剤を供給することができる。従って、スラッジブランケットの凝集状態が悪化している場合であっても、スラッジブランケットのフロックが凝集調整剤により速やかに再凝集する。これによって、スラッジブランケットの凝集状態が回復し、処理水を良好な水質に維持できる。以上により、スラッジブランケットの凝集状態によらず、処理水の水質を安定させることができる。
【０００８】
一形態において、原水と凝集調整剤とを反応させる反応槽と、凝集調整剤供給部による凝集調整剤の供給先を切り替える切替部と、を備え、切替部は、スラッジブランケットの凝集状態に基づいて、凝集調整剤の供給先を反応槽から、供給ライン及びスラッジブランケット部の少なくとも一方に切り替えてよい。これにより、通常運転状態では、凝集調整剤供給部は、反応槽に凝集調整剤を供給することで、当該反応槽内で当該凝集調整剤と原水を十分に反応させた上で、スラッジブランケット部へ供給することができる。一方、スラッジブランケットの凝集状態が悪化した場合には、切替部で切り替えを行うことで、スラッジブランケットのフロックを凝集調整剤により速やかに再凝集させることができる。
【０００９】
一形態において、凝集調整剤供給部は、凝集調整剤を供給ラインへ供給してよい。凝集調整剤を供給ラインへ供給した場合、凝集沈殿槽内では、原水と共にディストリビュータなどの分散供給の機構によって、スラッジブランケットに対して凝集調整剤を均一に供給することができる。
【００１０】
一形態において、凝集調整剤供給部は、凝集調整剤をスラッジブランケット部へ供給してよい。このように、凝集調整剤供給部がスラッジブランケット部へ凝集調整剤を直接入れることにより、直ちにスラッジブランケットのスラッジを再凝させることができるため、処理水質を悪化させることなく運転が可能となる。
【００１１】
一形態において、凝集調整剤供給部は、凝集調整剤をスラッジブランケット部の上層部へ供給してよい。この場合、スラッジブランケットの上層付近における凝集状態を集中的に回復することができる。ここで、凝集状態が悪化したときには、捕捉されなかったフロックはスラッジブランケットの上層から処理水と共に流出するものである。従って、スラッジブランケットの上層付近の凝集状態を集中的に回復すれば、小さいフロックが流出することを速やかに防止できる。
【発明の効果】
【００１２】
本発明によれば、スラッジブランケットの凝集状態によらず、処理水の水質を安定させることができる凝集沈殿処理装置が提供される。
【図面の簡単な説明】
【００１３】
【図１】本発明の実施形態に係る凝集沈殿処理装置の概略構成図である。
【図２】変形例に係る凝集沈殿処理装置の概略構成図である。
【図３】変形例に係る凝集沈殿処理装置の概略構成図である。
【図４】変形例に係る凝集沈殿処理装置の概略構成図である。
【発明を実施するための形態】
【００１４】
以下、図面を参照して種々の実施形態について詳細に説明する。なお、各図面において同一又は相当の部分に対しては同一の符号を付し、重複する説明を省略する。
【００１５】
図１は、本発明の一実施形態に係る凝集沈殿処理装置の概略構成図である。図１に示すように、凝集沈殿処理装置１００は、凝集沈殿槽１０と、反応槽２０と、無機凝集剤供給部３０と、高分子凝集剤供給部４０と、を備える。また、凝集沈殿処理装置１００は、反応槽２０に対して原水を供給するラインＬ１と、反応槽２０で無機凝集剤と反応した原水を凝集沈殿槽１０に対して供給するラインＬ２と、凝集沈殿槽１０で処理された処理水を取り出すラインＬ３と、無機凝集剤供給部３０から反応槽２０へ無機凝集剤を供給するラインＬ６，Ｌ４と、ラインＬ６からラインＬ２へ分岐するラインＬ５と、高分子凝集剤供給部４０からラインＬ２へ高分子凝集剤を供給するラインＬ７と、を備える。
【００１６】
反応槽２０は、ラインＬ１を介して供給される原水を貯留し、当該原水と無機凝集剤供給部３０から供給される無機凝集剤とを反応させる槽である。反応槽２０は、攪拌装置２１を備えていてよい。これにより、反応槽２０内の原水と無機凝集剤が攪拌装置２１で攪拌され、原水に含まれる固形物と無機凝集剤との反応が十分に起こされる。原水中の固形物が無機凝集剤と反応することで凝集され、小さな凝集フロックが形成される。反応槽２０の原水は、所定の流量にてラインＬ２を介して凝集沈殿槽１０に供給される。なお、反応槽２０には、無機凝集剤以外の薬剤を供給してもよく、例えば、ｐＨを調整するｐＨ調整剤を供給してもよい（例えば図４参照）。
【００１７】
無機凝集剤供給部３０は、無機凝集剤を原水に供給する。無機凝集剤供給部３０は、通常運転時にラインＬ６，Ｌ４を介して反応槽２０に無機凝集剤を供給する。また、無機凝集剤供給部３０は、スラッジブランケットの凝集状態に基づいて、ラインＬ６，Ｌ５を介して一時的に無機凝集剤をラインＬ２に供給する（詳細は後述）。無機凝集剤としては、硫酸バンドやＰＡＣ（ポリ塩化アルミニウム）等のＡｌ系の無機凝集剤を用いてもよく、例えばポリ硫酸鉄や塩化鉄などのＦｅ系の無機凝集剤を用いてもよい。無機凝集剤の金属成分（ＡｌやＦｅ）が原水中の有機物などの固形物と電気化学的反応する。
【００１８】
高分子凝集剤供給部４０は、高分子凝集剤を原水に供給する。高分子凝集剤供給部４０は、通常運転時にラインＬ７を介してラインＬ２に高分子凝集剤を供給する。これにより、高分子凝集剤がラインＬ２を原水と共に流れ、原水と共に凝集沈殿槽１０内に供給される。高分子凝集剤が高分子凝集剤としては、例えばポリアクリルアミド系等の高分子凝集剤や、ポリアミン系等の有機凝結剤等を用いてよい。
【００１９】
凝集沈殿槽１０は、原水が流入し、当該原水の固形物を凝集することで、固形物を除去した処理水を得るための槽である。凝集沈殿槽１０は、スラッジブランケット部１２と、当該スラッジブランケット部１２に原水を分散供給するディストリビュータ１１と、を備える。スラッジブランケット部１２は、原水に含まれる固形物（無機凝集剤と反応することで凝集フロックとなっている）を捕捉して処理水を生成するスラッジブランケットを有する。
【００２０】
凝集沈殿槽１０のスラッジブランケットでは、槽内上昇水流による凝集フロックの流動層を形成し、その流動層内に、原水に含まれる固形物により新たに生成した凝集フロックを通過させるものである。このとき、小さな凝集フロックは、流動層における大きなフロックに捕捉されて大きくなり、沈降速度が速まる。これにより、凝集沈殿槽１０のスラッジブランケット部へ供給された原水は、処理水と凝集フロックとに分離される。これによって、凝集沈殿槽１０のスラッジブランケットで凝集フロックを除去された後の上澄みの処理水が、ラインＬ３を介して外部へ排出される。
【００２１】
ディストリビュータ１１は、ラインＬ２から供給された原水をスラッジブランケット部１２へ供給する。ディストリビュータ１１は、スラッジブランケット内へ原水が均一に分散されるように供給することができる。このように、ディストリビュータ１１は、ラインＬ２に接続されることで、原水をスラッジブランケット部１２へ供給することが出来る部分である。従って、ディストリビュータ１１は、請求項における「供給ライン」に属するものとなる。以上より、反応槽２０よりも下流側の流路であって、スラッジブランケット部１２に原水を供給することができる流路を供給ラインＬ５０と称する場合がある。本実施形態では、ラインＬ２及びディストリビュータ１１が供給ラインＬ５０に含まれるものとする。
【００２２】
ここで、本実施形態に係る凝集沈殿処理装置１００は、スラッジブランケットの凝集状態が悪化した場合に、凝集状態を回復させることができる構造を備えている。以下、当該構造について説明する。
【００２３】
凝集沈殿処理装置１００は、凝集調整剤供給部１２０を備えている。凝集調整剤供給部１２０は、スラッジブランケットの凝集状態に基づいて、供給ラインＬ５０及びスラッジブランケット部１２の少なくとも一方に凝集調整剤を供給する。凝集調整剤とは、スラッジブランケットの凝集性を向上させる薬剤である。凝集調整剤は、無機凝集剤や高分子凝集剤のように、直接的にスラッジブランケットの凝集性を向上できるものであってよい。また、凝集調整剤は、ｐＨ調整剤や沈降助剤のように、凝集反応を促進したり、比重を重くして沈降性を高めたりすることで、間接的にスラッジブランケットの凝集性と沈降性を向上できるものであってもよい。図１に示す例では、凝集調整剤として無機凝集剤が採用されている。本実施形態では、無機凝集剤供給部３０及びラインＬ６，Ｌ５が凝集調整剤供給部１２０に対応する。
【００２４】
凝集調整剤供給部１２０による凝集調整剤の供給箇所は、供給ラインＬ５０及びスラッジブランケット部１２の少なくとも一方である。供給ラインＬ５０、又はスラッジブランケット部１２に凝集調整剤が供給された場合、当該凝集調整剤が速やかにスラッジブランケットでの凝集反応に関与することができる。このように、供給ラインＬ５０及びスラッジブランケット部１２のように、当該位置に凝集調整剤を供給することで、凝集調整剤が直接的、且つ速やかにスラッジブランケットの凝集反応に関与できるような供給位置を「凝集調整剤供給位置１１０」と称する場合がある。凝集調整剤供給位置１１０であれば、どの位置に凝集調整剤が供給されてもよく、複数位置に凝集調整剤が供給されてよい。本実施形態では、ラインＬ２に凝集調整剤である無機凝集剤が供給される。
【００２５】
なお、反応槽２０及び当該反応槽２０よりも上流側の箇所で凝集調整剤が投入された場合、凝集調整剤は、原水に含まれる固形物と一度反応した上で、スラッジブランケットに供給される。従って、凝集調整剤が直接的にスラッジブランケットの凝集反応に寄与できない、又は寄与できる凝集調整剤の量が減少してしまう。
【００２６】
例えば、設備導入直後、又は運転停止後の立ち上げ時に、スラッジブランケット内の凝集剤の凝集効果が失われていることにより、スラッジブランケットの凝集状態は悪化する。また、運転時に所定の理由により凝集フロックの凝集性が低下したときに、スラッジブランケットの凝集状態が悪化する。また、導入される原水の水質が変化した場合も、凝集剤の凝集効果が低下することで、スラッジブランケットの凝集状態が悪化する。
【００２７】
従って、凝集調整剤供給部１２０は、スラッジブランケットの凝集状態が悪化したことをセンサなどで検知することによって、凝集調整剤を凝集調整剤供給位置１１０へ供給してよい。または、凝集調整剤供給部１２０は、スラッジブランケットの凝集状態が悪化し得る状況、又は悪化している状況を推定することに基づいて、凝集調整剤を凝集調整剤供給位置１１０へ供給してよい。例えば、凝集調整剤供給部１２０は、原水の水質が変化したことに基づいて凝集調整剤を凝集調整剤供給位置１１０へ供給してよい。または、運転の立ち上げ時にはスラッジブランケットの凝集状態が悪化することを見越し、立ち上げ時には一律、凝集調整剤供給部１２０が凝集調整剤を凝集調整剤供給位置１１０へ供給してよい。
【００２８】
なお、凝集調整剤供給部１２０が凝集調整剤供給位置１１０への凝集調整剤の供給を停止するタイミングは特に限定されないが、処理水の水質をセンサで検知し、清澄になったことを検知後、凝集調整剤供給部１２０は凝集調整剤供給位置１１０への凝集調整剤の供給を停止して、通常運転に戻る。または、凝集調整剤供給位置１１０への凝集調整剤の供給が開始された後、所定時間経過したことを停止のタイミングとしてよい。または、スラッジブランケットの凝集状態を検出し、回復が確認できたことを停止のタイミングとしてよい。
【００２９】
なお、通常運転時には、凝集調整剤である無機凝集剤は、反応槽２０にのみ供給されることが好ましい。無機凝集剤が凝集調整剤供給位置１１０に供給されると、無機凝集剤の凝集反応と高分子凝集剤の凝集反応が同時に起こる。従って、無機凝集剤が固形物と均一に反応する前に、高分子凝集剤により凝集し、無機凝集剤による凝集反応が進みにくくなるためである。また、無機凝集剤として強酸性であるＰＡＣを用いた場合は、ＰＡＣを投入した位置が局所的に酸性となり、高分子凝集剤の分子構造が変化し、一部凝集効果が低下するためである。以上より、通常運転時まで無機凝集剤が凝集調整剤供給位置１１０に供給されると、多量の凝集剤が必要になる。
【００３０】
凝集沈殿処理装置１００は、凝集調整剤供給部１２０による凝集調整剤の供給先を切り替える切替部５０を備えている。切替部５０は、スラッジブランケットの凝集状態に基づいて、凝集調整剤の供給先を反応槽２０から、供給ラインＬ５０及びスラッジブランケット部１２の少なくとも一方に切り替える。本実施形態では、切替部５０は、ラインＬ６、ラインＬ５及びラインＬ４の接続部分に設けられる弁によって構成されてよい。すなわち、切替部５０は、無機凝集剤供給部３０の無機凝集剤を反応槽２０へ供給するように切り替えを行う場合は、ラインＬ６とラインＬ４を連通させ、ラインＬ５を遮断する。切替部５０は、無機凝集剤供給部３０の無機凝集剤をラインＬ２へ供給するように切り替えを行う場合は、ラインＬ６とラインＬ５を連通させ、ラインＬ４を遮断する。
【００３１】
次に、図１に示す凝集沈殿処理装置１００の動作態様の一例について説明する。
【００３２】
通常運転時においては、切替部５０は、ラインＬ６とラインＬ４を連通させ、ラインＬ５を遮断する。これにより、無機凝集剤供給部３０は、ラインＬ６，Ｌ４を介して、無機凝集剤を反応槽２０へ供給する。これにより、反応槽２０内で原水内の固形物と無機凝集剤とが反応して小さな凝集フロックが形成される。また、高分子凝集剤供給部４０は、ラインＬ２へ高分子凝集剤を供給する。これにより、原水は凝集フロック及び高分子凝集剤と共に、凝集沈殿槽１０のスラッジブランケット部１２に供給される。これにより、スラッジブランケットで凝集フロックを捕捉された水質の良い処理水が、ラインＬ３から排出される。
【００３３】
一方、運転停止後の立ち上げ時などには、スラッジブランケットの凝集状態が悪化していると推定し、切替部５０は、ラインＬ６とラインＬ５を連通させ、ラインＬ４を遮断する。これにより、無機凝集剤供給部３０は、ラインＬ６，Ｌ５を介して、無機凝集剤をラインＬ２へ供給する。また、高分子凝集剤供給部４０は、ラインＬ２へ高分子凝集剤を供給する。これにより、原水は無機凝集剤及び高分子凝集剤と共に、凝集沈殿槽１０のスラッジブランケット部１２に供給される。これにより、スラッジブランケットのフロックが無機凝集剤の凝集効果によって再凝集する。以上により、スラッジブランケットの凝集状態が回復する。その後、凝集沈殿処理装置１００は、前述の通常運転へ戻る。
【００３４】
なお、無機凝集剤が凝集調整剤供給位置１１０に供給されると、上述のように、多量の凝集剤が必要になるが、スラッジブランケットの凝集状態を回復するための動作は一時的なものであり、凝集剤を一時的に増加させるデメリットよりも、凝集状態を速やかに回復することのメリットの方が大きい。
【００３５】
次に、本実施形態に係る凝集沈殿処理装置１００の作用・効果について説明する。
【００３６】
凝集沈殿処理装置１００において、凝集調整剤供給部１２０は、スラッジブランケットの凝集状態に基づいて、供給ラインＬ５０に凝集調整剤を供給する。供給ラインＬ５０はスラッジブランケット部１２に原水を供給するラインであるため、凝集調整剤供給部１２０は、供給ラインＬ５０に凝集調整剤を供給することで、スラッジブランケットに直接的に凝集調整剤を供給することができる。従って、スラッジブランケットの凝集状態が悪化している場合であっても、スラッジブランケットのフロックが凝集調整剤により速やかに再凝集する。これによって、スラッジブランケットの凝集状態が回復し、処理水を良好な水質に維持できる。以上により、スラッジブランケットの凝集状態によらず、処理水の水質を安定させることができる。
【００３７】
凝集沈殿処理装置１００は、原水と凝集調整剤とを反応させる反応槽２０と、凝集調整剤供給部１２０による凝集調整剤の供給先を切り替える切替部５０と、を備える。切替部５０は、スラッジブランケットの凝集状態に基づいて、凝集調整剤の供給先を反応槽２０から、供給ラインＬ５０に切り替える。これにより、通常運転状態では、凝集調整剤供給部１２０は、反応槽２０に凝集調整剤を供給することで、当該反応槽２０内で当該凝集調整剤と原水を十分に反応させた上で、スラッジブランケット部１２へ供給することができる。一方、スラッジブランケットの凝集状態が悪化した場合には、切替部５０で切り替えを行うことで、スラッジブランケットのフロックを凝集調整剤により速やかに再凝集させることができる。
【００３８】
凝集調整剤は無機凝集剤であり、凝集調整剤供給部１２０は、無機凝集剤を供給ラインＬ５０へ供給してよい。凝集調整剤を供給ラインＬ５０へ供給した場合、凝集沈殿槽１０内では、原水と共にディストリビュータ１１によって、スラッジブランケットに対して凝集調整剤を均一に供給することができる。
【００３９】
本発明は上述の実施形態に限定されるものではない。
【００４０】
例えば、図２に示すような凝集沈殿処理装置２００を採用してよい。凝集沈殿処理装置２００では、凝集調整剤である無機凝集剤がスラッジブランケット部１２へ直接供給される。これにより、スラッジブランケットに直接的に凝集調整剤を供給することができる。このように、スラッジブランケットへ凝集調整剤を直接入れることにより、直ちにスラッジブランケットのスラッジを再凝させることができるため、処理水質を悪化させることなく運転が可能となる。
【００４１】
具体的には、凝集沈殿処理装置２００は、切替部５０から凝集沈殿槽１０のスラッジブランケット部１２に接続されるラインＬ８を備えている。これにより、無機凝集剤供給部３０は、切替部５０の切り替えにより、ラインＬ６，Ｌ８を介して無機凝集剤をスラッジブランケット部１２へ供給できる。
【００４２】
例えば、図３に示すような凝集沈殿処理装置３００を採用してよい。凝集沈殿処理装置３００では、凝集調整剤供給部１２０は、無機凝集剤をスラッジブランケット部１２の上層部へ供給してよい。この場合、スラッジブランケットの上層付近における凝集状態を集中的に回復することができる。ここで、凝集状態が悪化したときには、捕捉されなかったフロックはスラッジブランケットの上層から処理水と共に流出するものである。従って、スラッジブランケットの上層付近の凝集状態を集中的に回復すれば、小さいフロックが流出することを速やかに防止できる。
【００４３】
具体的には、凝集沈殿処理装置３００は、切替部５０から凝集沈殿槽１０のスラッジブランケット部１２の上層部に接続されるラインＬ１３を備えている。また、凝集沈殿処理装置３００は、高分子凝集剤供給部４０に接続されるラインＬ１０と、ラインＬ１０からラインＬ２へ分岐するラインＬ１１と、ラインＬ１０からスラッジブランケットの上層部へ延びるラインＬ１２と、ラインＬ１０，Ｌ１１，Ｌ１２に接続される切替部６０と、を備える。これにより、無機凝集剤供給部３０は、切替部５０の切り替えにより、ラインＬ６，Ｌ１３を介して無機凝集剤をスラッジブランケット部１２の上層部へ供給できる。また、高分子凝集剤供給部４０は、切替部６０の切り替えにより、ラインＬ１０，Ｌ１２を介して高分子凝集剤をスラッジブランケット部１２の上層部へ供給できる。
【００４４】
例えば、図４に示すような凝集沈殿処理装置４００を採用してよい。凝集沈殿処理装置４００では、凝集調整剤としてｐＨ調整剤が採用される。このように、スラッジブランケットのｐＨを調整することで、間接的に凝集性を向上できる。また、凝集沈殿処理装置４００は、スラッジブランケットの凝集状態を検出できる検出器８０を備えている。検出器８０は、例えば濁度計であり、スラッジブランケット界面の数百ｍｍ上方（１００〜５００ｍｍ）の清澄ゾーンにセンサ８１を配置し、当該位置の濁度を測定することで、スラッジブランケットの凝集状態を検出できる。なお、このような検出器８０の検出結果に応じて、凝集調整剤の供給量をコントロールしてもよい。
【００４５】
具体的には、凝集沈殿処理装置４００は、ｐＨ調整剤を供給するｐＨ調整剤供給部９０と、ｐＨ調整剤供給部９０に接続されるラインＬ２０と、ラインＬ２０から反応槽２０へ分岐するラインＬ２１と、ラインＬ２０からスラッジブランケット部１２へ延びるラインＬ２２と、ラインＬ２０，Ｌ２１，Ｌ２２に接続される切替部７０と、を備える。すなわち、凝集調整剤供給部１２０は、ｐＨ調整剤供給部９０と、ｐＨ調整剤を供給ラインＬ５０へ供給するラインＬ２２と、によって構成される。これにより、ｐＨ調整剤供給部９０は、切替部７０の切り替えにより、ラインＬ２０，Ｌ２２を介してｐＨ調整剤をスラッジブランケット部１２へ供給できる。
【００４６】
なお、図１〜図４のように、スラッジブランケットの凝集状態を回復させることができる構造を例示したが、図１〜図４の構造の一部又は全部を組み合わせてもよい。
【００４７】
また、通常運転時には作動せず、スラッジブランケットの凝集状態を回復させるタイミングでのみ凝集調整剤を凝集調整剤供給位置１１０へ供給するような機構を設けてもよい。
【符号の説明】
【００４８】
１０…凝集沈殿槽、２０…反応槽、５０，７０…切替部、１００，２００，３００，４００…凝集沈殿処理装置、１２０…凝集調整剤供給部、Ｌ５０…供給ライン。
【図１】
2018161637.tif 000003
【図２】
2018161637.tif 000004
【図３】
2018161637.tif 000005
【図４】
2018161637.tif 000006